【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
縦方向に沿って設けられ、尿を吸収する吸収性本体と、
前記縦方向と交差する横方向に沿って設けられ、前記吸収性本体の前記縦方向の一端部に重ね合わせられて固定された腹側帯部材と、
前記腹側帯部材とは別部材として前記横方向に沿って設けられ、前記吸収性本体の前記縦方向の他端部に重ね合わせられて固定された背側帯部材と、を有し、
前記腹側帯部材のうちの前記横方向の各端部と前記背側帯部材のうちの前記横方向の各端部とが連結されることによって、一つの胴回り開口と二つの脚回り開口とが形成された吸収性物品であって、
前記腹側帯部材のうちで前記吸収性本体が重ね合わせられる重ね合わせ部の前記縦方向の大きさは、前記背側帯部材のうちで前記吸収性本体が重ね合わせられる重ね合わせ部の前記縦方向の大きさよりも大きくされており、
前記腹側帯部材は、前記腹側帯部材に対して前記横方向の収縮力を付与すべく、前記腹側帯部材における前記横方向の一端部から他端部までに亘って連続して配置された腹側連続弾性部材と、前記横方向に非連続に配置された腹側非連続弾性部材と、を有し、
前記背側帯部材は、前記背側帯部材に対して前記横方向の収縮力を付与すべく、前記背側帯部材における前記横方向の一端部から他端部までに亘って連続して配置された背側連続弾性部材と、前記横方向に非連続に配置された背側非連続弾性部材と、を有し、
前記腹側帯部材に係る前記腹側連続弾性部材の収縮力の大きさの総和よりも、前記背側帯部材に係る前記背側連続弾性部材の収縮力の大きさの総和の方が大きく、
前記背側帯部材の前記縦方向の大きさの方が前記腹側帯部材の前記縦方向の大きさよりも大きいことによって、前記背側帯部材は、前記腹側帯部材よりも前記脚回り開口の方に飛び出してなる飛び出し部分を有し、
複数の前記腹側非連続弾性部材のうちで前記脚回り開口に最も近い位置の腹側非連続弾性部材の収縮力の方が、複数の前記背側非連続弾性部材のうちで前記脚回り開口に最も近い位置の背側非連続弾性部材の収縮力よりも大きいことを特徴とする吸収性物品。
【請求項２】
請求項１に記載の吸収性物品であって、
前記腹側帯部材のうちの前記横方向の中央部に前記重ね合わせ部が設定されていることによって、前記腹側帯部材は、前記重ね合わせ部よりも前記横方向に突出した突出部分を前記横方向の両側にそれぞれ有し、
前記腹側非連続弾性部材は、一方の前記突出部分に前記横方向に連続して設けられた側部弾性部材と、他方の前記突出部分に前記横方向に連続して設けられつつ、前記一方の前記突出部分の前記側部弾性部材との間に前記中央部にて前記横方向に間隔をあけて設けられた側部弾性部材と、を有し、
前記背側帯部材のうちの前記横方向の中央部に前記重ね合わせ部が設定されていることによって、前記背側帯部材は、前記重ね合わせ部よりも前記横方向に突出した突出部分を前記横方向の両側にそれぞれ有し、
前記背側非連続弾性部材は、一方の前記突出部分に前記横方向に連続して設けられた側部弾性部材と、他方の前記突出部分に前記横方向に連続して設けられつつ、前記一方の前記突出部分の前記側部弾性部材との間に前記中央部にて前記横方向に間隔をあけて設けられた側部弾性部材と、を有し、
前記腹側帯部材の前記突出部分の前記側部弾性部材の収縮力の総和は、前記背側帯部材の前記突出部分の前記側部弾性部材の収縮力の総和よりも大きくされていることを特徴とする吸収性物品。
【請求項３】
請求項２に記載の吸収性物品であって、
前記腹側帯部材における前記突出部分に配置された前記側部弾性部材は、前記横方向の中央側に延長されているとともに、延長された部分の端部は、前記吸収性本体の前記横方向の端部に接合されていることを特徴とする吸収性物品。
【請求項４】
請求項３に記載の吸収性物品であって、
前記吸収性本体は、液体吸収性素材が積層されてなる吸収性コアと、前記吸収性コアを肌側から覆って設けられた液透過性の表面シート部材と、前記吸収性コアを非肌側から覆って設けられた液不透過性の裏面シート部材と、を有し、
前記腹側帯部材の前記側部弾性部材の前記端部は、前記吸収性コアにおける前記横方向の端部に位置していることを特徴とする吸収性物品。
【請求項５】
請求項２乃至４の何れかに記載の吸収性物品であって、
前記吸収性本体は、液体吸収性素材が積層されてなる吸収性コアと、前記吸収性コアを肌側から覆って設けられた液透過性の表面シート部材と、前記吸収性コアを非肌側から覆って設けられた液不透過性の裏面シート部材と、を有し、
前記背側帯部材における前記突出部分に配置された前記側部弾性部材は、前記横方向の中央側に延長されているとともに、延長された部分の端部は、前記吸収性本体のうちで前記吸収性コアよりも前記横方向の端側の部分に固定されていることを特徴とする吸収性物品。
【請求項６】
請求項２乃至５の何れかに記載の吸収性物品であって、
前記吸収性本体における前記横方向の各端部は、前記腹側帯部材に接合部を介して固定されており、
前記接合部を介して前記突出部分の前記側部弾性部材の収縮力が前記端部に作用することによって、前記端部は、前記突出部分の方に引っ張られていることを特徴とする吸収性物品。
【請求項７】
縦方向に沿って設けられ、尿を吸収する吸収性本体と、
前記縦方向と交差する横方向に沿って設けられ、前記吸収性本体の前記縦方向の一端部に重ね合わせられて固定された腹側帯部材と、
前記腹側帯部材とは別部材として前記横方向に沿って設けられ、前記吸収性本体の前記縦方向の他端部に重ね合わせられて固定された背側帯部材と、を有し、
前記腹側帯部材のうちの前記横方向の各端部と前記背側帯部材のうちの前記横方向の各端部とが連結されることによって、一つの胴回り開口と二つの脚回り開口とが形成された吸収性物品であって、
前記腹側帯部材のうちで前記吸収性本体が重ね合わせられる重ね合わせ部の前記縦方向の大きさは、前記背側帯部材のうちで前記吸収性本体が重ね合わせられる重ね合わせ部の前記縦方向の大きさよりも大きくされており、
前記腹側帯部材は、前記腹側帯部材に対して前記横方向の収縮力を付与すべく、前記腹側帯部材における前記横方向の一端部から他端部までに亘って連続して配置された腹側連続弾性部材と、前記横方向に非連続に配置された腹側非連続弾性部材と、を有し、
前記背側帯部材は、前記背側帯部材に対して前記横方向の収縮力を付与すべく、前記背側帯部材における前記横方向の一端部から他端部までに亘って連続して配置された背側連続弾性部材と、前記横方向に非連続に配置された背側非連続弾性部材と、を有し、
前記腹側帯部材に係る前記腹側連続弾性部材の収縮力の大きさの総和よりも、前記背側帯部材に係る前記背側連続弾性部材の収縮力の大きさの総和の方が大きく、
複数の前記背側連続弾性部材のうちで前記縦方向の最も中央側に位置する背側連続弾性部材の収縮力の方が、複数の前記腹側連続弾性部材のうちで前記縦方向の最も中央側に位置する腹側連続弾性部材の収縮力よりも大きいことを特徴とする吸収性物品。
【手続補正２】
【補正対象書類名】明細書
【補正対象項目名】００１０
【補正方法】変更
【補正の内容】
【００１０】
上記目的を達成するための主たる発明は、
縦方向に沿って設けられ、尿を吸収する吸収性本体と、
前記縦方向と交差する横方向に沿って設けられ、前記吸収性本体の前記縦方向の一端部に重ね合わせられて固定された腹側帯部材と、
前記腹側帯部材とは別部材として前記横方向に沿って設けられ、前記吸収性本体の前記縦方向の他端部に重ね合わせられて固定された背側帯部材と、を有し、
前記腹側帯部材のうちの前記横方向の各端部と前記背側帯部材のうちの前記横方向の各端部とが連結されることによって、一つの胴回り開口と二つの脚回り開口とが形成された吸収性物品であって、
前記腹側帯部材のうちで前記吸収性本体が重ね合わせられる重ね合わせ部の前記縦方向の大きさは、前記背側帯部材のうちで前記吸収性本体が重ね合わせられる重ね合わせ部の前記縦方向の大きさよりも大きくされており、
前記腹側帯部材は、前記腹側帯部材に対して前記横方向の収縮力を付与すべく、前記腹側帯部材における前記横方向の一端部から他端部までに亘って連続して配置された腹側連続弾性部材と、前記横方向に非連続に配置された腹側非連続弾性部材と、を有し、
前記背側帯部材は、前記背側帯部材に対して前記横方向の収縮力を付与すべく、前記背側帯部材における前記横方向の一端部から他端部までに亘って連続して配置された背側連続弾性部材と、前記横方向に非連続に配置された背側非連続弾性部材と、を有し、
前記腹側帯部材に係る前記腹側連続弾性部材の収縮力の大きさの総和よりも、前記背側帯部材に係る前記背側連続弾性部材の収縮力の大きさの総和の方が大きく、
前記背側帯部材の前記縦方向の大きさの方が前記腹側帯部材の前記縦方向の大きさよりも大きいことによって、前記背側帯部材は、前記腹側帯部材よりも前記脚回り開口の方に飛び出してなる飛び出し部分を有し、
複数の前記腹側非連続弾性部材のうちで前記脚回り開口に最も近い位置の腹側非連続弾性部材の収縮力の方が、複数の前記背側非連続弾性部材のうちで前記脚回り開口に最も近い位置の背側非連続弾性部材の収縮力よりも大きいことを特徴とする吸収性物品である。
本発明の他の特徴については、本明細書及び添付図面の記載により明らかにする。